(57)【特許請求の範囲】
【請求項１】
送風機室に設けた熱交換器の前面に送風機を配置し、仕切り板により圧縮機を備える機械室と前記送風機室とに区画し、前記機械室に電気品を収納する箱体を備え、この電気品箱体内の電気品を冷却する放熱板を配置し外気により取入れ口を備えた室外ユニットにおいて、前記放熱板の周囲を覆い外気風を通過させるダクトを、室外ユニット本体の右側面と送風機室に通じる仕切り板とに設けた開口を接続するよう配置するとともに、前記電気品箱体の制御基板の近傍に設けられた排気口と前記ダクトの上部開口とを接続して風路を形成する風路カバーを設けたことを特徴とする空気調和機の室外ユニット。
【請求項２】
上部外気取入れ口と仕切り板の開口とを接続するダクトの下面板を仕切り板に向けて下り勾配にしたことを特徴とする請求項１記載の空気調和機の室外ユニット。
【請求項３】
上部外気取入れ口と仕切り板の開口とを接続するダクトの下面板に雨水排水口を設けたことを特徴とする請求項１記載の空気調和機の室外ユニット。
【請求項４】
上部外気取入れ口と仕切り板の開口とを接続するダクトの下面板を仕切り板から上部外気取入れ口に向かい下り勾配にしたことを特徴とする請求項１記載の空気調和機の室外ユニット。
【発明の詳細な説明】
【０００１】
【発明の属する技術分野】
この発明は、空気調和機の室外ユニットにおける電気品の冷却装置に関する。
【０００２】
【従来の技術】
図１５は、従来の空気調和機の室外ユニット内部部品の配置を示す平面図、図１６は空気調和機の室外ユニット内部部品の配置を示す正面図である。図において、１は空気調和機の室外ユニット本体、２は熱交換器３の前面にプロペラファン４とファン駆動用のファンモ−タ５を配置し、その前面にグリル６を設けた送風室７と上部に室外ユニットの制御用の電気品８ａを収納する電気品箱体８を配した機械室９とに区画している仕切板、１０は前記電気品箱体８の送風室７側に面した左側面に配置した電気品放熱用の放熱板、１１は前記機械室９の下部に底板１２の上に配置した圧縮機で、右側面には室内ユニット（図示していない）と冷媒を接続する内外接続部１３を設けている。１４は点検パネルで、下部に前記内外接続部１３に対応して下部外気取入れ口１５を設けている。
【０００３】
次に、動作について説明する。前記電気品箱体８内部の部品の放熱経路はプロペラファン４とファンモ−タ５により発生した負圧により、室外ユニット右側面の外気取り入れ口１５から外気を室外ユニット１内部に取込み、電気品箱体８内部を通過する。この際、電気部品を冷却し熱交換された温風は送風機室７へ排出され、熱交換器３を通過し熱交換され、かつ放熱板１０に当たり冷却し室外ユニット１外に吐出される。
【０００４】
また、電気品の背面にヒートシンクを配置し、室内あるいは室外からの空気をダクト経由ダクトに設けた小穴からヒートシンクに向けて噴出させることによって、電気品の冷却効率を高める技術が、特開平０５−３３３１７４号公報に開示されている。
【０００５】
また、インバータ搭載の空調機室外機電装品の冷却効率を高めるために、発熱をヒートパイプを通して仕切り板の外側へ導かれ、外側に設けた冷却フィンを送風により冷却する技術が、特開平０１−２０８６２６号公報に開示されている。
【０００６】
【発明が解決しようとする課題】
従来の空気調和機の室外ユニットは、放熱板を冷却するのに熱交換器を通過した熱交換外風を利用するため熱交換器で外風が熱交換し暖められてしまい、放熱板を冷却する際には、熱交換器を通過する前の状態より温度が上昇していまい放熱板の冷却効率が低下してしまい、電気品の寿命を短くするなどの問題があった。
【０００７】
また、放熱板は熱交換器を通過する風路内に配置しなければならず、電気部品の配置位置が自由に選択できず制限されるなどの問題もあった。
【０００８】
この発明は、放熱板も冷却効率を向上させると共に、電気品の寿命を延ばし、かつ電気部品の配置位置が自由に選択できるようにしたことを目的とする。
【０００９】
【課題を解決するための手段】
この発明の空気調和機の室外ユニットは、送風機室に設けた熱交換器の前面に送風機を配置し、仕切り板により圧縮機を備える機械室と前記送風機室とに区画し、前記機械室に電気品を収納する箱体を備え、この電気品箱体内の電気品を冷却する放熱板を配置し外気により取入れ口を備えた室外ユニットにおいて、前記放熱板の周囲を覆い外気風を通風させるダクトを、室外ユニット本体の右側面と送風機室に通じる仕切板とに設けた開口を接続するとともに、前記電気品箱体の制御基板の近傍に設けられた排気口と前記ダクトの上部開口とを接続して風路を形成する風路カバーを設けたものである。
【００１０】
この発明の空気調和機の室外ユニットは、上部外気取入れ口と仕切り板の開口とを接続するダクトの下面板を仕切り板に向けて下り勾配にしたものである。
【００１１】
この発明の空気調和機の室外ユニットは、上部外気取入れ口と仕切り板の開口とを接続するダクトの下面板に雨水排水口を設けたものである。
【００１２】
この発明の空気調和機の室外ユニットは、上部外気取入れ口と仕切り板の開口とを接続するダクトの下面板を仕切り板から上部外気取入れ口に向かい下り勾配にしたものである。
【００１４】
【発明の実施の形態】
実施の形態１．
以下、図１ないし図３に示す実施の形態１である空気調和機の室外ユニットについて説明する。図１はこの発明の実施の形態１による空気調和機の室外ユニット内部部品の配置を示す平面図、図２はこの発明の実施の形態１による空気調和機の室外ユニット内部部品の配置を示す正面図、図３この発明の実施の形態１による空気調和機の室外ユニット内部部品の配置を示す要部拡大斜視図である。図おいて、１は空気調和機の室外ユニット本体、２は熱交換器３の前面にプロペラファン４とファン駆動用のファンモ−タ５を配置し、その前面にグリル６を設けた送風機室７と上部に室外ユニットの制御用の電気品８ａを収納する電気品箱体８を配した機械室９とに区画している仕切り板、１０は電気品放熱用の放熱板、１１は前記機械室９の下部の底板１２の上に配置した圧縮機で、右側面には室内ユニット（図示していない）と冷媒配管で接続する内外接続部１３を設けている。
【００１５】
１４は点検パネルで、前記内外接続部１３に対応した下部外気取入れ口１５を、上部には前記電気品箱体８に対応して上部外気取入れ口１６を設けている。１７は空気調和機の室外ユニット本体１の背面を形成する背面パネルで、前記機械室９の背面および側面の一部外郭を形成している。１８は空気調和機の運転制御をする制御基板で、この背面に電源系制御素子の放熱用の放熱板１０が電気品箱体８背面に吐出配置されている。１９は前記電気品箱体８の側面に設けられている電気品開口、２０は前記電気品箱体８背面の左右う方向に設置し、前記放熱板１０の周囲を覆うダクトで、上部外気取入れ口１６と、前記仕切り板２に設けた前記送風機室７と通じる仕切板開口２１とを接続するように配置されている。
【００１６】
次に、冷却風の動作を説明する。まず、放熱板１０の冷却では、点検パネル１４の上部外気取入れ口１６から外気風Ａがダクト２０の内部を通過し、その際放熱板６の熱を奪い仕切板開口２１から送風機室７に吐出される。
【００１７】
また、電気品箱体８の冷却では、電気品冷却風Ｂが機械室９の点検パネル１４下部に設けられている下部外気取入れ口１５より室外ユニット内部に取り込み、室内ユニットに接続する内外接続部１３を通過し電気品箱体８の側面に設けられている電気品開口１９から電気品８ａ内部に通じる。この際電気品８ａ内部の熱を奪い、部品の冷却を行う。
【００１８】
実施の形態２．
図４は、この発明の実施の形態２による空気調和機の室外ユニット内部部品の配置を示す要部拡大斜視図である。図において、２２は前記電気品箱体８の電気品開口１９のダクト側面板２０ａに設けたダクト側面開口である。
【００１９】
次に、実施の形態２による冷却風の動作を説明する。まず、放熱板１０の冷却では、外気風Ａが直接上部外気取入れ口１６からダクト２０の内部を通過し、その際放熱板１０の熱を奪い仕切板開口２１から送風機室７に吐出される。そして電気品冷却風Ｂは機械室９の点検パネル１４の下部に設けられている下部外気取入れ口１５より室外ユニット内部に取り込み、室内ユニットに接続する内外接続部１３を通過し電気品箱体８の側面に設けられている電気品開口１９から電気品８ａ内部に通じると同時に電気品開口１９の入る手前の風の一部をダクト側面開口２２よりダクト１５内部に分流する。すると前記外気風Ａとダクト２０内部で合流して通過し風量が増すため、より放熱板６の放熱が促進され冷却効率が向上する。
【００２０】
実施の形態３．
図５はこの発明の実施の形態３による空気調和機の室外ユニット内部部品の配置を示す要部拡大斜視図、図６は図５の断面図である。図において、２３はダクト２０の放熱板１０上部位置に設けたダクト上部開口、２４はそのダクト上部開口２３を覆い、電気品箱体８の背面上部に設けた排気口２５を風路形成し接続する風路カバ−である。
【００２１】
次に、実施の形態３による冷却風の動作を説明する。電気品冷却風Ｂは、この排気口２３を通り風路カバ−２２により形成された風路を通じダクト上部開口２１を通りダクト１５を介し熱交換器室へ通じ、グリル４から室外ユニット外部へ放出される。排気口２５は制御基板１４の近傍に設けられるため、電気品冷却風Ｂは制御基板１８上に沿って流れるため、制御基板１８に実装された電源制御系部品は冷却される。
【００２２】
この実施の形態３によれば制御基板１８に実装されて発熱する電子部品で電源制御系の部品は、この部品の冷却を電気品冷却風Ｂが通過することによって、確実に冷却し、部品の故障、又は破壊をなくし、電子部品の寿命を延ばすなどの利点が生じる。
【００２３】
実施の形態４．
図７はこの発明の実施の形態４による空気調和機の室外ユニットのダクト部分を示す要部拡大断面図である。図において、２は仕切り板、１６は前記点検パネル１４に設けられている上部外気取入れ口、１７ａはこの上部外気取入れ口１６に対応して前記背面パネル１７の側面側に設けた外気口、２０ａは前記ダクト２０の下面を構成するダクト下面板で、取付けた状態で前記仕切り板２に向けて角度Ａ°の下り勾配の傾斜を成している。
【００２４】
この実施の形態４による動作を説明する。放熱板１０を冷却するためにダクト２０には、上部外気取入れ口１６を介し外気風１６が外気口１７ａから内部に取り入れられる。そのため、点検パネル１４の上部外気取入れ口１６から外気風Ａとともに雨水などがダクト２０内部に侵入してくる。そこで、ダクト２０内部に侵入してきた雨水などは、ダクト２０の下面板２０ａ表面を流れ送風機室７側に排水され、室外ユニット下面の底板１２へ落ち、そこから凝縮水と一緒に室外ユニット１外へ放出されか、又は送風気流に飛ばされて室外ユニット１外へ放出される。
【００２５】
実施の形態５．
図８はこの発明の実施の形態５による空気調和機の室外ユニットのダクト部分を示す要部拡大断面図である。図において、２０ｃは前記ダクト２０の下面を構成する下がり勾配のついたダクト下面板２０ｂに設けた雨水排水口で、前記点検パネル１４の上部外気取入れ口１６側に近いところに形成している。
そして侵入してきた雨水２４をすぐに排水するようにし、ダクト２０内部に溜まる雨水の量を減らすと共に、この雨水排水口２０ｃからダクト２０内部に空気を呼び込み放熱板６の冷却風として利用する。
【００２６】
実施の形態６．
図９はこの発明の実施の形態６による空気調和機の室外ユニットのダクト部分を示す要部拡大断面図である。前記実施の形態５ではダクト２０の下面板２０ｂを送風機室７側へ向かい角度Ａ°の傾斜で下がり勾配としたが、この発明の実施の形態６では逆に送風機室７側から点検パネル１４側にへ向かい角度Ａ°の傾斜で下がり勾配としたものである。
【００２７】
この場合のダクト２０内部に侵入した雨水は、ダクト２０の下面板２０ｂを伝い背面パネル１７の外面に伝わり室外ユニットの下面である底板１２から室外ユニット外部へ排水される。
【００２８】
実施の形態７．
図１０はこの発明の実施の形態７による空気調和機の室外ユニット内部部品の配置を示す平面図である。前記実施の形態１ないし実施の形態３では、点検パネル１４の左側面から外気を取り入れダクト２０を介して放熱板１０を冷却する装置について説明してきたが、室外ユニット１の背面から背面から外気を取り入れても良い。図１０において、２６は背面パネル１７に設けられた背面外気取入れ口、２７はこの背面外気取入れ口２６と前記仕切り板２に形成した仕切板開口２１とを連通接続し設けた背面外気風ダクトで、このダクト内部を外気風Ａが流れ、放熱板１０の冷却を行う。
【００２９】
実施の形態８．
図１１はこの発明の実施の形態８による空気調和機の室外ユニットを示す要部拡大斜視図、図１２は図１１の要部拡大断面図である。図において、２８は点検パネル１４の右側面に設けられている切起こし外気取入れ口で、切起し片２８ａが内側で上方に向かい開いる。ここから放熱板１０の冷却用の外気風Ａをダクト２０内部に取り込む。２９は前記点検パネル１４の切起こし外気取入れ口２８に対抗して室外ユニット内面側に位置し、背面パネル１７の右側面に設けられた背面パネル開口である。
【００３０】
次に、動作について説明する。切起こし外気取入れ口２８が室外ユニット１内面上方に開いているため、雨水が直接室外ユニット１にはいることなく外気風Ａを内部に取り込むことができ、また開口の穴が正面から見た際、見にくいため美的にも優れている。
【００３１】
実施の形態９．
図１３この発明の実施の形態９による空気調和機の室外ユニットを示す要部分解斜視図、図１４は図１３の側面断面図である。、図において、３０は前記点検パネル１４の右側面に設けられている長穴外気取入れ口、３１はこの長穴外気取入れ口に対抗して前記背面パネル１０の右側面に設けられたフランジ開口で、このフランジ開口３１の外周端面は、前記点検パネル１４の方へ隆起しており背面パネル１７の表面を伝わる雨水がフランジ開口３１からダクト２０内部の侵入を防いでいる。
【００３２】
次に、点検パネル１４の長穴外気取入れ口３０が室外ユニット内面側に位置し、上下方向に外気取入れ口３０とフランジ開口３１との開口位置がズレ正面から見た際、穴が見えないように長穴外気取入れ口３０とフランジ開口３１の穴位置がずれているため、雨水が直接室外ユニット１にはいることなく外気風Ａを内部に取り込むことができ、また長穴外気取入れ口３０とフランジ開口３１とが正面から見た際、重ならず見えにくいため見栄え的にも優れている。
【００３３】
【発明の効果】
以上説明したようにこの発明の空気調和機の室外ユニットは、送風機室に設けた熱交換器の前面に送風機を配置し、仕切り板により圧縮機を備える機械室と前記送風機室とに区画し、前記機械室に電気品を収納する箱体を備え、この電気品箱体内の電気品を冷却する放熱板を配置し外気により取入れ口を備えた室外ユニットにおいて、前記放熱板の周囲を覆い外気風を通風させるダクトを、室外ユニット本体の右側面と送風機室に通じる仕切板とに設けた開口を接続するよう配置するとともに、前記電気品箱体の制御基板の近傍に設けた排気口と前記ダクトの上部開口とを接続して風路を形成する風路カバーを設けた構成としたから、放熱板を冷却する外気風を熱交換器を介することなく直接使用できるため、冷却効率を向上させ、部品配置の自由度が広がり室外ユニットの部品収納効率が向上しコンパクト化が図れ、また制御基板に実装している電源制御系部品の冷却効率を向上させ、電気品の長寿命化を図ることができる利点を有する。
【００３４】
また、この発明の空気調和機の室外ユニットは、上部外気取入れ口と仕切り板の開口とを接続するダクトの下面板を仕切り板に向けて下り勾配にした構成としたから、雨水の排水処理を安易にでき、板金部品の酸化を抑制でき、製品の長期使用が可能となる利点を有する。
【００３５】
また、この発明の空気調和機の室外ユニットは、上部外気取入れ口と仕切り板の開口とを接続するダクトの下面板に雨水排水口を設けた構成としたから、雨水の排水処理を一層効果的にでき、製品の寿命を延ばす利点を有する。
【００３６】
また、この発明の空気調和機の室外ユニットは、上部外気取入れ口と仕切り板の開口とを接続するダクトの下面板を仕切り板から上部外気取入れ口に向かい下り勾配にした構成としたから、雨水の排水処理を一層効果的にでき利点を有する。
【図面の簡単な説明】
【図１】  この発明の実施の形態１による空気調和機の室外ユニット内部部品の配置を示す平面図である。
【図２】  この発明の実施の形態１による空気調和機の室外ユニット内部部品の配置を示す正面図である。
【図３】  この発明の実施の形態１による空気調和機の室外ユニット内部部品の配置を示す要部分解斜視図である。
【図４】  この発明の実施の形態２による空気調和機の室外ユニット内部部品の配置を示す要部分解斜視図である。
【図５】  この発明の実施の形態３による空気調和機の室外ユニット内部部品の配置を示す要部分解斜視図である。
【図６】  この発明の実施の形態３による空気調和機の室外ユニット内部部品の配置を示す要部断面図である。
【図７】  この発明の実施の形態４による空気調和機の室外ユニットのダクトを示す要部拡大断面図である。
【図８】  この発明の実施の形態５による空気調和機の室外ユニットのダクトを示す要部拡大断面図である。
【図９】  この発明の実施の形態６による空気調和機の室外ユニットのダクトを示す要部拡大断面図である。
【図１０】  この発明の実施の形態７による空気調和機の室外ユニット内部部品の配置を示す平面図である。
【図１１】  この発明の実施の形態８による空気調和機の室外ユニットを示す要部分解斜視図である。
【図１２】  この発明の実施の形態８による空気調和機の室外ユニットを示す要部断面図である。
【図１３】  この発明の実施の形態９による空気調和機の室外ユニットを示す要部分解斜視図である。
【図１４】  この発明の実施の形態９による空気調和機の室外ユニットを示す要部断面図である。
【図１５】  従来の空気調和機の室外ユニット内部部品の配置を示す平面図である。
【図１６】  従来の空気調和機の室外ユニット内部部品の配置を示す正面図である。
【符号の説明】
１  室外ユニット本体、２   仕切り板、４  送風機、５  熱交換器、６  前面グリル、７  送風機室、８  電気品箱体、９  機械室、１０  放熱板、１１  圧縮機、１４  点検パネル、１５  下部外気取入れ口、１６  上部外気取入れ口、１７  背面パネル、１８  制御基板、１９  電気品開口、２０  ダクト、２０ｂ  ダクト下面板、２０ｃ  雨水排水口、２１  仕切板開口、２２  ダクト側面開口、２３   ダクト上部開口、２４  風路カバ−、２５  排気口、２６  背面外気取入れ口、２７  背面外気風ダクト、２８  切起こし外気取入れ口、２９  背面パネル開口、３０  長穴外気取入れ口、３１  フランジ開口。
【図１】
0004305999.tif 000002
【図２】
0004305999.tif 000003
【図３】
0004305999.tif 000004
【図４】
0004305999.tif 000005
【図５】
0004305999.tif 000006
【図６】
0004305999.tif 000007
【図７】
0004305999.tif 000008
【図８】
0004305999.tif 000009
【図９】
0004305999.tif 000010
【図１０】
0004305999.tif 000011
【図１１】
0004305999.tif 000012
【図１２】
0004305999.tif 000013
【図１３】
0004305999.tif 000014
【図１４】
0004305999.tif 000015
【図１５】
0004305999.tif 000016
【図１６】
0004305999.tif 000017